(57)【特許請求の範囲】
【請求項１】
水平軸回りに回転されるプーリ間に巻回され、駆動源により一方向に回転される無端搬送ベルトと、その搬送ベルトの互いに反対側に所定間隔をおいて接触して回転される搬送ローラとを有し、シート状物送込み機から送込まれるシート状物を前記搬送ベルトに沿って形成されている搬送路に導入させ、その搬送路の端部に設けられている収納部まで挟持搬送するシート状物搬送装置であって、
前記シート状物送込み機に対応して設けられている導入部と、隣接する導入部の間及び最下流の導入部と前記収納部の間に設けられている搬送部とに分割して構成され、
前記導入部は、前記搬送路の一部となる部分搬送路と前記シート状物送込み機から送込まれるシート状物を前記部分搬送路に案内導入させる案内路とを有する搬送路形成部材と、前記部分搬送路に外周の一部を臨ませて前記搬送路形成部材に取付けられた前記搬送ローラとから構成されているとともに、前記搬送部は、前記搬送路の一部となる部分搬送路を有する１個又は複数個の搬送路形成部材と、所定の搬送路形成部材に取付けられた前記搬送ローラとから構成されていて、
前記導入部及び前記搬送部のそれぞれの搬送路形成部材は、いずれも透明材料で作られ、平板部と、その平板部の片面の上部及び下部に上下対向して開口されて前記部分搬送路を形成する案内縁とを有し、前記搬送ベルトの両側に配置された前記搬送路形成部材を前記案内縁において対面させ、かつ、前記部分搬送路の高さ方向中央部分を連通させた状態で、各搬送路形成部材の搬送ローラを前記連通部分に延設された前記搬送ベルトに互いに反対側から接触されており、
前記搬送ベルトに関して一方側の搬送路形成部材の前記上下の案内縁は、少なくとも一方が前記部分搬送路を搬送されるシート状物の一部を隠蔽するように、不透明又は有色透明にされていることを特徴とするシート状物搬送装置。
【発明の詳細な説明】
【０００１】
【発明の属する技術分野】
本発明は、搬送ベルトとこれに接触する搬送ローラとの間に、紙幣その他の一定の形状を有するシート状物を挟持して、所定位置まで搬送するシート状物搬送装置に係り、とくに前面側から投入される紙幣を搬送路に送込む紙幣送込み機を備えた遊技設備における紙幣搬送装置に適用して好適なものに関する。
【０００２】
【従来の技術】
一般的に、パチンコ台やスロットマシンなどの複数の遊技台を横方向に並設してなる遊技台列に、その遊技台列の前面側から投入される紙幣を受入れて一定の姿勢で前記遊技台列の背面側に送込む紙幣送込み機を前記遊技台列に沿って間隔をもって設けるとともに、前記遊技台列の背面側に、前記紙幣送込み機から送込まれる紙幣を前記遊技台列に沿って設けられた搬送路に導入させ、前記遊技台列の端部に設けられた収納部まで挟持搬送する紙幣搬送装置を設けた遊技設備がある。
【０００３】
上記遊技台列には、通常、紙幣の投入により作動する台間玉貸機や台間メダル貸機が設置されるが、紙幣送込み機はその台間玉貸機又は台間メダル貸機に組込まれる。従来の紙幣搬送装置の搬送路は、紙幣送込み機から送込まれる紙幣を搬送路に導入させる位置に設けられた導入部と、隣接する導入部の間及び最下流の導入部と収納部の間に設けられた搬送部とに分割して構成されている。そして、一つの遊技台列は、遊技台と、隣合う２台の遊技台ごとの間に設置される台間玉貸機又は台間メダル貸機とから構成され、あるいは、さらに、最近備えられるようになった画像情報提供機や自動販売機などが含まれる場合があり、一つの遊技設備には、２列の遊技台列を背中合わせに設置されている。
【０００４】
このような背中合わせの配置構成に対応して、紙幣搬送装置の組立て、設置を簡便にするため、前記導入部は、前記搬送路の一部となる部分搬送路と、前記紙幣送込み機から送込まれるシート状物を前記部分搬送路に案内導入させる案内路とを有する搬送路形成部材と、前記案内路に外周の一部を臨ませて前記搬送路形成部材に取付けられた推進ホイルと、前記部分搬送路に外周の一部を臨ませて前記搬送路形成部材に取付けられ、前記搬送ベルトに接触して回転される前記搬送ローラとを備えている。また、前記搬送部は、前記搬送路の一部となる部分搬送路を有する１個又は複数個の搬送路形成部材と、所定の搬送路形成部材に取付けられた複数個の前記搬送ローラとを有している。そして、前記導入部及び搬送部のそれぞれの搬送路形成部材は、いずれも平板部と、その平板部の片面の上部と下部に前記部分搬送路を形成する案内縁とを有し、搬送ベルトの両側の導入部及び搬送部のそれぞれの前記搬送路形成部材を前記案内縁において対面させ、部分搬送路の高さ方向中央部分を連通させた状態で、各搬送路形成部材の搬送ローラを前記連通部分に存在する搬送ベルトに互いに反対側から接触させた構造とされている。
【０００５】
【発明が解決しようとする課題】
ところで、従来の紙幣搬送装置においては、搬送路に紙幣がジャムした時、ジャム検知信号を出力したジャム検知器が設けてある遊技台の前面扉を開放した場合に、搬送路のどの部分にジャムした紙幣（ジャム紙幣）が存在するかを容易に発見することができるように、上記導入部及び搬送部のそれぞれの搬送形成部材は、全体が透明とされている。従って、ジャムが発生したときのジャム紙幣の所在は容易に発見できる。しかしながら、遊技台列のいずれの側の搬送路形成部材もその全体が透明であるため、遊技台の前面扉を開放した保守員にはそのジャム紙幣が見えても、扉を開放した遊技台列側の搬送路に存在するのか、反対側の遊技台列の搬送路に存在するのかが容易に判別できず、保守員のジャム紙幣を取除こうとして延ばした手が搬送路形成部材に遮断されて初めて、そのジャム紙幣が扉を開放した遊技台列と反対側の遊技台列の搬送路に存在することが判明し、保守員が反対側の遊技台列の前面側に移動して、当該遊技台の扉を改めて開放するなどの無駄な時間が浪費させられることがあった。
【０００６】
本発明は、上記の事情に鑑みてなされたものであり、その課題は、導入部及び搬送部が背中合わせに配置されているシート状物搬送装置において、搬送路にシート状物がジャムした場合に、そのジャムしたシート状物がいずれの側の搬送路に存在するかを一目瞭然に判別できるようにして、ジャム処理を迅速に行うことができるようにすることにある。
【０００７】
【課題を解決するための手段】
上記課題を解決するため、本発明は、水平軸回りに回転されるプーリ間に巻回され、駆動源により一方向に回転される無端搬送ベルトと、その搬送ベルトの互いに反対側に所定間隔をおいて接触して回転される搬送ローラとを有し、シート状物送込み機から送込まれるシート状物を前記搬送ベルトに沿って形成されている搬送路に導入させ、その搬送路の端部に設けられている収納部まで挟持搬送するシート状物搬送装置において、前記シート状物送込み機に対応して設けられている導入部と、隣接する導入部の間及び最下流の導入部と前記収納部の間に設けられている搬送部とに分割して構成され、前記導入部は、前記搬送路の一部となる部分搬送路と前記シート状物送込み機から送込まれるシート状物を前記部分搬送路に案内導入させる案内路とを有する搬送路形成部材と、前記部分搬送路に外周の一部を臨ませて前記搬送路形成部材に取付けられた前記搬送ローラとから構成されているとともに、前記搬送部は、前記搬送路の一部となる部分搬送路を有する１個又は複数個の搬送路形成部材と、所定の搬送路形成部材に取付けられた前記搬送ローラとから構成されていて、前記導入部及び前記搬送部のそれぞれの搬送路形成部材は、いずれも透明材料で作られ、平板部と、その平板部の片面の上部及び下部に上下対向して開口されて前記部分搬送路を形成する案内縁とを有し、前記搬送ベルトの両側に配置された搬送路形成部材を前記案内縁において対面させ、かつ、前記部分搬送路の高さ方向中央部分を連通させた状態で、各搬送路形成部材の搬送ローラを前記連通部分に延設された前記搬送ベルトに互いに反対側から接触されており、前記搬送ベルトに関して一方側の搬送路形成部材の前記上下の案内縁は、少なくとも一方が前記部分搬送路を搬送されるシート状物の一部を隠蔽するように、不透明又は有色透明にされていることを特徴としている。
上記構成により、他方側の搬送路形成部材の部分搬送路により構成されている搬送路にシート状物がジャムした時は、同一側から見た場合は、そのシート状物の高さ方向の全体が見える。また、一方側の搬送路形成部材の部分搬送路により構成されている搬送路にシート状物がジャムした時は、同一側から見た場合は、そのシート状物は、その上部と下部の少なくとも一方が案内縁により隠蔽されて、見えない。従って、そのジャムしたシート状物がいずれかの側の搬送路に存在するかが容易に判る。従って、そのジャムしたシート状物の排除を迅速に行うことができる。
【０００８】
【発明の実施の形態】
次に、本発明の実施の形態を、本発明を遊技設備の紙幣搬送装置として実施した場合の例について、図面に基づいて説明する。
図１は、本発明に係る紙幣搬送装置を備えた遊技設備の一例の一部の平面図、図２は図１のＸ部分における、主として紙幣搬送装置のみを抽出して示す正面図、図３は同じく平面図、図４は図２のＡ−Ａ線断面図である。
図５〜図９は導入部を示すものであり、図５は正面図、図６は平面図、図７は図５のＢ−Ｂ線断面図、図８は側面図、図９は図７のＣ−Ｃ線断面図である。図１１は図４のほぼＤ−Ｄ線に沿った端面図である。
図１２〜図１６は搬送部を示すものであり、図１２は搬送部の構成要素であるユニットの正面図、図１３は一つのユニットの平面図、図１４は同じく断面図、図１５は同じく側面図、図１６は縦断面図である。図１７は図４のほぼＥ−Ｅ線に沿った端面図である。
【０００９】
図１は、図面を簡明にし、説明を簡単にするため、遊技機Ｐ、紙幣送込み機Ｓを組込んだ台間玉貸機や台間メダル貸機を所定の順序で所定の間隔をもって配置してなる２列の遊技台列を背中合わせに設置し、両遊技台列の間に、紙幣送込み機Ｓから一定の姿勢で送込まれる紙幣を遊技台列に沿って設けられた搬送路に導入させ、遊技台列の一端部に設けられた収納部ＣＴまで挟持搬送する紙幣搬送装置ＢＣを設けて構成された遊技設備の一例を示している。
遊技設備には、遊技機Ｐ、紙幣送込み機Ｓを組込んだ台間玉貸機や台間メダル貸機のほかに、画像情報提供装置、自動販売機やサービス供給機等（いずれも図示省略）がランダムに設置されるものもある。本発明は、遊技台列がいかなる構成要素を有する場合にも、適用可能である。
【００１０】
紙幣搬送装置ＢＣは、遊技台列の一端部に設けられたモータなどの駆動源Ｍと、遊技台列の両端部に設けた、駆動源Ｍにより水平軸回りに回転されるプーリ（図示省略）の間に巻回された１本の無端丸ベルトからなる搬送ベルトＢＬ（図１１，１７参照）と、各遊技台列に対応して所定間隔をもって配設され、前記搬送ベルトＢＬに接触して垂直軸回りに従動回転される搬送ローラ６と、搬送ベルトと搬送ローラの接触面に沿って形成された搬送路を有している。搬送路は、後の詳細な説明により明らかになるように、導入部Ｊと搬送部Ｃとによって分割して構成されている。より正確には、搬送路は、それぞれの紙幣送込み機Ｓに対応する位置に設けられている導入部Ｊ２の一つの構成部材である搬送路形成部材１に形成されている部分搬送路ｐ１，ｐ２と、各導入部の間及び最下流の導入部と収納部ＣＴの間に設けられている搬送部Ｕの搬送路形成部材２１に形成されている部分搬送路ｐ１，ｐ２とによって構成されている。
そして、導入部Ｊには、搬送ベルトＢＬの一方側に配置される導入部Ｊ１と、他方側に配置される導入部Ｊ２とがあり、各導入部は搬送ベルトに関して互いに対称形に構成されている。また、それぞれの導入部は、互いに独立しており、後述されるように、遊技台列に沿って任意の位置に取付け可能とされている。また、搬送部Ｕには、搬送ベルトＢＬの一方側に配置される搬送部Ｕ１と、他方側に配置される搬送部Ｕ２とがあり、導入部と同様に、それぞれ独立した構成を有して、遊技台列に沿った任意の位置に取付け可能とされている。
【００１１】
以下に、まず、導入部Ｊ１について、図５〜図１１を参照して詳述する。導入部Ｊ２は導入部Ｊ１と対称形に作られているので、説明を省略する。導入部Ｊ１は、搬送路形成部材１を有している。搬送路形成部材１のほぼ矩形の平板部２の上下背面側に形成された又は固着された案内縁３ａ，３ｂにより、上下対向して開口する溝３ｃ，３ｄが形成してあり、両溝の間に、紙幣搬送装置の搬送路の一部となる部分搬送路ｐ１が構成されている（図８，９，１１参照）。部分搬送路ｐ１は、搬送路形成部材の長手方向に貫通して紙幣を横長の姿勢で案内する。また、平板部２の正面の中央寄りやや右又は左に寄った位置に、手前方向に突出して先端が開口し、紙幣受入機Ｓから送込まれる紙幣を部分搬送路ｐ１に案内して導入させる案内路４が形成されている。搬送路形成部材１は、部分搬送路ｐ１の紙幣の存否を視認できるように、透明樹脂材料で成形されている。
搬送路形成部材１には、推進ホイル５、搬送ローラ６及び搬送ローラの回転力を推進ホイル５に伝達させる伝動ベルト７、並びに補助ローラ８が従来と同様に備えられ、かつ、ジャム検知器９が取付けられている。搬送ローラ６はゴムローラで作られていて、後述される搬送ベルトＢＬに接触し、その搬送ベルトＢＬと搬送ローラ６の間に紙幣を挟持して搬送するように作用する。
【００１２】
ジャム検知器９には、導入部Ｊ１がＪ２と互いに独立して取付け可能にするため、アクチュエータ型センサが用いられ、一例として、図１０に示すように、部分搬送路ｐ１の溝３ｃ内に先端が突出され、支点９ａで揺動自在に支持されたアクチュエータ９ｂと、そのアクチュエータが溝３ｃを搬送される紙幣により揺動されたとき、そのアクチュエータ９ｂにより光を遮断されるフォトセンサ９ｃからなる周知のものを用いることができる。しかし、フォトセンサの代りに、アクチュエータにより作動されるマイクロスイッチその他のセンサを用いることもできる。このジャム検知器９が出力する紙幣検知信号は導線１０を介して判定部（図示せず）に与えられ、紙幣検知信号の出力が所定時間以上継続した場合は、前記判定部はジャムが発生したと判断するようになっている。
【００１３】
さらに、搬送路形成部材１は、紙幣搬送方向の上流側端部と下流側端部に、櫛歯状の連結部１１，１２を有している。この連結部は、図１に示すように、搬送方向に沿って隣接する導入部Ｊ１，Ｊ１間；Ｊ２，Ｊ２間にそれぞれ設けられて両導入部の部分搬送路ｐ１を連続させる、後述の搬送部Ｕ１，Ｕ１；Ｕ２，Ｕ２と連結する際に、導入部と搬送部の間に、搬送される紙幣をジャムさせるような縦直線状のエッジが生じないように、滑らかに連結するためのものである。
【００１４】
すなわち、連結部１１は、後述される上流側の搬送部Ｕ１の下流側端部の連結部２８と互いに嵌め継ぎが可能な形状を有し、下流側の連結部１２は、後述される下流側の搬送部Ｕ１の上流側端部の連結部２７と互いに嵌め継ぎが可能な形状を有している（図２参照）。そして、搬送路形成部材１の上流側の連結部１１と搬送部Ｕ１の上流側端部の連結部２７、搬送路形成部材１の下流側の連結部１２と搬送部Ｕ１の下流側端部の連結部２８は、それぞれ等しい形状を有している。
【００１５】
上記のように、搬送路形成部材１に部分搬送路ｐ１と案内路４を形成し、推進ホイル５と搬送ローラ６を取付け、ジャム検知器９を取付けて、独立した構成を有する導入部Ｊ１も、好ましい実施の形態では、遊技台列に沿って任意の位置に容易に取付ることを可能にするため、搬送路形成部材１の上端部と下端部の内、少なくとも上端部に、紙幣搬送方向に間隔をおいて複数個の貫通孔１３（図９参照）が形成してあり、各貫通孔に係止部材の一例として、押込み拡大リベット１４が挿通して装着されている。また、搬送路形成部材１の下端部には、同様の押込み拡大型のリベットを装着しても良いが、係止部材の他の例として、係止縁１５が形成してある。
【００１６】
図２に示すように、両側の遊技台列の間の各紙幣送込み機Ｓとほぼ等しい高さ位置において、上下一対のレールＵＲ，ＬＲが紙幣搬送装置の高さとほぼ等しい間隔をもって遊技台列に沿って平行に延設されている。上レールＵＲ及び下レールＬＲは、それぞれその上端部及び下端部をクランプＣＬ１，ＣＬ２で挟持され、そのクランプＣＬ１，ＣＬ２を２列の遊技台列の間に立設された支柱又は紙幣送込み機Ｓに固定することにより、所定の高さ位置に平行状態で取付けられている。
上レールＵＲは、図１１（ａ）に示すように、上方に開口するあり溝１６を有するとともに、そのあり溝の下側において前後方向に開口する２条のあり溝１７を有している。上側のあり溝１６は、遊技台列に沿って隣接する上レールＵＲの端部同志を連結するためのものである。図１１（ｂ）に示すように、短冊状の鋼製の連結板１８の長さの半分を一方の上レールのあり溝１６に、他の半分を他方の上レールのあり溝１６に押入することにより、簡単に連結可能とされている。また、下レールＬＲは、下方に開口するあり溝１９と、上方に開口する２条のあり溝２０を有している。下レールＬＲの端部同志も、あり溝１９に同様の連結板１８を同様に押入して、簡単に連結することができる。
【００１７】
そして、一方側の遊技台列の紙幣送込み機に対応する導入部Ｊ１を所定位置に取付ける際は、まず、導入部Ｊ１の搬送路形成部材１をその下部を、上下２本のレールＵＲ，ＬＲのうち、下レールＬＲに接近させてやや斜めにした状態で下レールＬＲに接近し、係止縁１５を下レールＬＲの上側のあり溝２０に嵌合し、その搬送路形成部材１を紙幣送込み機Ｓに対応する所定位置まで摺動し、その後に、搬送路形成部材１の上端部を上レールＵＲに接近して、前記リベット１４を上レールＵＲの側面のあり溝１７に押し込むことにより、導入部Ｊ１を上下両レールＵＲ，ＬＲに固定する。
押込み拡大リベット１４は、その軸部がほぼスリット付き卵形に形成されていて、あり溝１７に押付けると、軸部が圧縮されてあり溝に押入された後、膨脹することにより、レールに固定される。そして、搬送路形成部材１をレールから離れる方向に強く引くと、リベットの軸部が圧縮されてあり溝から抜けるため、搬送路形成部材１は、その下部を下レールＬＲに係止したまま、上部を上レールＵＲから離間して、部分搬送路ｐ１又はｐ２を外側に開放することができる。この部分搬送路の外側への開放可能な点は、後述されるように、ジャム紙幣の除去に有用である。
【００１８】
図４、図１１（ａ）に示すように、上下両レールＵＲ，ＬＲの反対側から他方側の遊技台列の紙幣送込み機に対応する導入部Ｊ２も同様の方法により固定され、搬送ベルトＢＬの互いに反対面に各導入部の搬送ローラ６が当接される。この場合、両導入部の搬送路形成部材１の部分搬送路ｐ１，ｐ２を形成する案内縁３ａ，３ｂのうち、いずれか一方側の遊技台列の紙幣送込み機に対応する導入部（図示の例ではＪ１）の部分搬送路ｐ１，ｐ２を形成する案内縁３ａ，３ｂが、その部分搬送路を通過される紙幣の上辺側と下辺側の少なくとも一方が、図８及び図１１に塗り潰して示すように、不透明又は有色透明とされている。
【００１９】
続いて、その搬送部Ｕ１，Ｕ２の構成について図１２〜図１６を用いて説明する。図１２は、搬送部Ｕ１の構成要素の一例を示す正面図、図１３は一つのユニットの平面図、図１４は横断面図、図１５は端面図、図１６は縦断面図である。搬送部Ｕ１は、いずれの場合も、基本的に、複数種類のユニットの単一又は組合わせからなっている。搬送部Ｕ２も同様に複数種類のユニットの単一又は組合わせからなるが、搬送部Ｕ２の各ユニットは、搬送部Ｕ１の各ユニットと対称形に作られているので、説明を省略する。
図示の例では、搬送部Ｕ１は、図１２の（ａ），（ｂ），（ｃ）に示すように、サイズが大中小３種類のユニットＵａ，Ｕｂ，Ｕｃを構成要素としている。ユニットＵａ，Ｕｂ，Ｕｃはいずれも共通の構成部材として、それぞれ長さが異なる搬送路形成部材２１ａ，２１ｂ，２１ｃを有する。どの搬送路形成部材も、部分搬送路ｐの紙幣の存否を視認できるように、透明樹脂材料で成形されている。そして、大ユニットＵａは、搬送路形成部材２１ａに複数個の搬送ローラ２２が等間隔をもって取付けられ、中ユニットＵｂは、搬送路形成部材２１ｂに１個の搬送ローラ２２が取付けられている。しかし、小ユニットＵｃは、搬送路形成部材２１ｃのみからなり、搬送ローラを有していない。
【００２０】
大ユニットＵａの搬送路形成部材２１ａは、導入部Ｊの搬送路形成部材１の平板部２と等しい高さの矩形の平板部２３ａを有し、図１５に示すように、その上下端部に、導入部Ｊの溝３ｃ，３ｄと同様に、上下の案内縁２４ａ，２４ｂにより形成された、上下対向して開口し、搬送路形成部材２１ａの長手方向に貫通する溝２４ｃ，２４ｄを有して、その溝と平板部２３ａの背面とによって部分搬送路ｐ１が形成されている。各搬送ローラ２２は、その外周の一部が部分搬送路ｐ１に臨むように取付けられている。
上記大ユニットＵａは、これを上記上下のレールＵＲ，ＬＲの任意の位置に取付けることを可能にするため、搬送路形成部材２１ａの平板部２３ａの上端部に導入部の場合と同様に貫通孔２５（図１６参照）が設けられ、その貫通孔に導入部の場合と同様の押込み拡大リベット１４が挿通して装着されている。また、搬送路形成部材２１ａの下端部に、導入部の搬送路形成部材における案内縁１５と同様の、下方に突出する係止縁２６が設けられている。
さらに、搬送路形成部材２１ａの長手方向両端部には、導入部Ｊの搬送方向上流部と下流部のそれぞれの櫛歯状連結部１１，１２と嵌め継ぎ可能な補完的形状を有する櫛歯状連結部２７，２８が形成されている。
【００２１】
中ユニットＵｂの搬送路形成部材２１ｂは、大ユニットＵａの搬送路形成部材２１ａとほぼ同一の縦断面形状を有し、平板部２３ｂの背面に同様に搬送路を有しているほか、上端部に同様の構造により押込み拡大リベット９が２個装着され、下端部に下方に突出する係止縁２６が設けられている。そして、長手方向両端部に、大ユニットＵａの両端部の連結部２７，２８と同一形状の連結部２７，２８を有している。
小ユニットＵｃの搬送路形成部材２１ｃは、中ユニットＵｂの平板部２３ｂの三分の一程度の長さの平板部２３ｃの両端部に中ユニットＵｂの両端部の連結部２７，２８とほぼ同一形状の連結部２７，２８を備えた構造を有しており、上端部に既述された押込み拡大リベット１４と同一の押込み拡大リベット１４が１個のみ装着され、下端部に下方に突出する係止縁２６が設けられている。
【００２２】
上記構成により、各ユニットＵａ，Ｕｂ，Ｕｃは、それぞれ同様に、搬送路形成部材の下端部の係止縁２６を上記下レールＬＲのあり溝２０に係止するとともに、上端部の押込み拡大リベット１４を上記上レールＵＲのあり溝１７に押し込んで、任意の位置に取付けることができ、その際に、隣接するユニットの櫛歯状連結部２７，２８を互いに嵌め継ぎして、各搬送路形成部材を一体状に連続させることができる。また、搬送部の両端部に位置する櫛歯状連結部２７，２８は導入部Ｊの連結部１１，１２と嵌め継ぎされる。
そして、搬送部を構成するユニットＵａ，Ｕｂの搬送路形成部材２１ａ，２１ｂも、上記導入部における搬送路形成部材１の場合と同様に、その下部を下レールＬＲに係止したまま、上部を上レールＵＲから離間して、部分搬送路ｐ１又はｐ２を外側に開放することができる。
【００２３】
上下のレールＵＲ，ＬＲには、図３に示すように、隣接する導入部Ｊ１，Ｊ１間；Ｊ２，Ｊ２間において、搬送部Ｕ１，Ｕ２が両側の遊技台列に対応して設けられ、図１７に示すように、搬送部Ｕ１，Ｕ２の搬送路形成部材２１の部分搬送路ｐ１，ｐ２を形成する案内縁２４ａ，２４ｂを対面させ、それら部分搬送路を中間部分で連通させ、各搬送ローラ２２を搬送ベルトＢＬの互いに反対面に当接させた状態で取付けられる。この場合、両搬送部の搬送路形成部材２１の部分搬送路ｐ１，ｐ２を形成する案内縁２４ａ，２４ｂのうち、いずれか一方側の遊技台列の搬送部（図１７の例では、Ｕ１）の部分搬送路ｐ１，ｐ２を形成する案内縁２４ａ，２４ｂが、その部分搬送路を通過される紙幣の上辺側と下辺側の少なくとも一方が隠蔽されるように、図８及び図１１に塗り潰して示すように、不透明又は有色透明とされている。
【００２４】
なお、搬送部Ｕ１の上記構成により、大ユニットＵａ、中ユニットＵｂ及び小ユニットＵｃは、これらの任意の組合わせにより、それぞれ異なる長さを有する搬送部を構成することができる。すなわち、各ユニットを符号Ｕａ，Ｕｂ，Ｕｃのみで表すと、例えば、Ｕａ単体，Ｕａ＋Ｕｃ，Ｕａ＋Ｕｂ，Ｕａ＋Ｕｂ＋Ｕｃ，Ｕａ＋Ｕｂ＋Ｕｂ，Ｕａ＋Ｕｂ＋Ｕｂ＋Ｕｃなどの各種の組合わせが可能であり、各ユニットの配置順序及び長さについて、複数種類のパターンを容易に作ることができる。
従って、図１及び図２の各遊技台列が遊技機、台間玉貸機又は台間メダル貸機、情報提供機などが任意の順序又は組合わせ、あるいは、それらのサイズの相違により、紙幣送込み機の間隔、従って、導入部間距離がそれぞれ異なる場合には、上記の搬送部Ｕ１，Ｕ２の構成要素であるユニットＵａ，Ｕｂ，Ｕｃを任意に組合わせることにより、導入部間距離に合致する搬送部を組立てて設置することができる。
【００２５】
以上の実施の形態によれば、いずれかの導入部のジャム検知器９からのジャム検知信号に基づき、ジャム発生が報知された際、そのジャム紙幣が図１１（ａ）における右側の搬送路形成部材１の部分搬送路ｐ１に存在すると仮定した場合は、保守員が表示位置に対応する遊技台の扉を開放して搬送路のジャム紙幣の所在を確認する時、その保守員が右側の搬送路形成部材１の外側（右側）から見る場合は、どの部分も隠蔽されていない紙幣が見える。従って、保守員は、ジャム紙幣が自分の存在する側と同じ側の搬送路にジャムしていることが判る。これに対して、図１１（ａ）において搬送路を左側の搬送路形成部材１の外側から見る場合は、上部と下部の一方又は双方が隠蔽されている紙幣が見える。従って、保守員は、ジャム紙幣が自分の存在する側と反対側の搬送路にジャムしていることが判る。
【００２６】
こうして、所要の搬送路形成部材１を上レールＵＲから離間して、部分搬送路を外側に開放し、その部分搬送路にジャムしている紙幣を容易に取出すことができる。従って、紙幣ジャムに迅速に対処することができる。
同様に、図１７において搬送路を右側の搬送路形成部材２１の外側から見た場合は、その紙幣は、その高さの全体が見える。従って、保守員は、ジャム紙幣が自分の存在する側と同じ側の搬送路にジャムしていることが判る。これに対して、図１７において搬送路を左側の搬送路形成部材２１の外側から見た場合は、その紙幣は、その高さの上部と下部の一方又は双方が隠蔽されて見える。従って、保守員は、ジャム紙幣が自分の存在する側と反対側の搬送路にジャムしていることが判る。こうして、当該搬送路形成部材をレールから離間し、部分搬送路を開放して、ジャム紙幣を容易迅速に取り除くことができる。
従って、ジャム紙幣排除のために要する時間を従来よりも著しく短縮することができるので、遊技客に与える迷惑を激減することができる。
【００２７】
【発明の効果】
上述のように、本発明によれば、部分搬送路と外周の一部を前記部分搬送路に臨ませた搬送ローラとを有する搬送路形成部材を、搬送ベルトの互いに反対側に配置し、それぞれ同一側の搬送路形成部材を連結して、前記搬送ベルトの互いに反対側に搬送路を構成するとともに、前記搬送ローラを前記搬送ベルトの互いに反対面に接触させてなるシート状物搬送装置において、シート状物がいずれかの搬送路にジャムした場合に、そのジャム紙幣の所在を迅速正確に発見し、そのジャム紙幣を迅速容易に取り除くことができ、遊技設備の紙幣搬送装置に用いる場合は、ジャム紙幣の排除所要時間の著しい短縮を図ることができるので、遊技客に与える迷惑を激減することができる。
【図面の簡単な説明】
【図１】本発明に係るシート状物搬送装置を紙幣搬送装置として用いる遊技設備の一例の平面図である。
【図２】図１のＸ部分における、主として紙幣搬送装置のみを抽出して示す正面図である。
【図３】同じく平面図である。
【図４】図２のＡ−Ａ線拡大断面図である。
【図５】導入部の正面図である。
【図６】同じく平面図である。
【図７】図５のＢ−Ｂ線断面図である。
【図８】導入部の側面図である。
【図９】図７のＣ−Ｃ線断面図である。
【図１０】ジャム検知器の一例を示す図であり、（ａ）は平面図、（ｂ）は一部抽出平面図、（ｃ）は同じく側面図である。
【図１１】図４のほぼＤ−Ｄ線に沿った端面図である。
【図１２】搬送部の構成要素である各種ユニットの正面図である。
【図１３】一つのユニットの平面図である。
【図１４】同じく横断面図である。
【図１５】同じく側面図である。
【図１６】縦断面図である。
【図１７】図４のほぼＥ−Ｅ線に沿った端面図である。
【符号の説明】
Ｐ    遊技台
Ｓ    紙幣送込み機
ＢＣ  紙幣搬送装置
ＢＬ  搬送ベルト
Ｊ１，Ｊ２    導入部
１    搬送路形成部材
３ａ，３ｂ  案内縁
３ｃ，３ｄ  溝
ｐ１，ｐ２  部分搬送路
４    案内路
５    推進ホイル
６    搬送ローラ
１４  押込み拡大リベット
Ｕ１，Ｕ２    搬送部
２１ａ，２１ｂ，２１ｃ  搬送路形成部材
２１  搬送ローラ
２４ａ，２４ｂ  案内縁
２４ｃ，２４ｄ  溝
ＵＲ，ＵＬ      上下のレール
【図１】
0003756670.tif 000002
【図２】
0003756670.tif 000003
【図３】
0003756670.tif 000004
【図４】
0003756670.tif 000005
【図５】
0003756670.tif 000006
【図６】
0003756670.tif 000007
【図７】
0003756670.tif 000008
【図８】
0003756670.tif 000009
【図９】
0003756670.tif 000010
【図１０】
0003756670.tif 000011
【図１１】
0003756670.tif 000012
【図１２】
0003756670.tif 000013
【図１３】
0003756670.tif 000014
【図１４】
0003756670.tif 000015
【図１５】
0003756670.tif 000016
【図１６】
0003756670.tif 000017
【図１７】
0003756670.tif 000018